(57)【特許請求の範囲】
【請求項１】
先端部に固体撮像素子を備え、該固体撮像素子から得られる信号を映像信号として出力する電子内視鏡と、
前記映像信号から動画像を取得し、該動画像に所定の第１の画像処理を行って第１ビデオ信号として出力する第１画像処理回路と、
前記第１画像処理回路が取得した映像信号と同じ映像信号から動画像を取得し、該動画像に所定の第２の画像処理を行って第２ビデオ信号として出力する第２画像処理回路と、
前記第１ビデオ信号に基づいて第１内視鏡画像を表示する第１モニタと、
前記第２ビデオ信号に基づいて第２内視鏡画像を表示する第２モニタと、
第１のユーザからの入力に基づいて前記第１画像処理回路の画像処理パラメータを変更する第１パラメータ変更手段と、
第２のユーザからの入力に基づいて、前記第１画像処理回路の画像処理パラメータに対して独立して調整することが可能な、前記第２画像処理回路の画像処理パラメータを変更する第２パラメータ変更手段と、
前記第１画像処理回路又は前記第２画像処理回路の画像処理パラメータが変更されたことを検知し、検知信号を生成するパラメータ変更検知手段と、
前記検知信号を受信したときに、前記第１画像処理回路又は前記第２画像処理回路の画像処理パラメータが変更されたことを前記第１のユーザへ報知する第１報知手段と、
前記検知信号を受信したときに、前記第１画像処理回路又は前記第２画像処理回路の画像処理パラメータが変更されたことを前記第２のユーザへ報知する第２報知手段と、
を備え、
前記パラメータ変更検知手段は、
前記検知信号を前記第１報知手段及び前記第２報知手段に送信するか否かを規定する送信先情報を有し、該送信先情報に基づいて前記第１報知手段及び前記第２報知手段に前記検知信号を送信する、
電子内視鏡システム。
【請求項２】
前記パラメータ変更検知手段は、
前記第１のユーザ又は前記第２のユーザからの入力を受け付け、該入力に基づいて前記送信先情報を生成する、
請求項１に記載の電子内視鏡システム。
【請求項３】
前記パラメータ変更検知手段は、
前記第１のユーザ又は前記第２のユーザからの入力を受け付け、該入力に基づいて前記第１のユーザ及び前記第２のユーザの使用者情報を生成し、該使用者情報に基づいて前記送信先情報を生成する、
請求項１に記載の電子内視鏡システム。
【請求項４】
前記送信先情報は、
前記第１画像処理回路の画像処理パラメータが変更されたときと、前記第２画像処理回路の画像処理パラメータが変更されたときのそれぞれについて、前記第１報知手段へ前記検知信号を送信するか否か、及び、前記第２報知手段へ前記検知信号を送信するか否かをそれぞれ規定したものである、
請求項１から請求項３のいずれか一項に記載の電子内視鏡システム。
【請求項５】
前記検知信号は、テキストデータであり、
前記第１報知手段は、
前記第１画像処理回路を制御し、前記映像信号から取得した動画像に前記テキストデータを重畳し、
前記第２報知手段は、
前記第２画像処理回路を制御し、前記映像信号から取得した動画像に前記テキストデータを重畳する、
請求項１から請求項４のいずれか一項に記載の電子内視鏡システム。
【請求項６】
前記検知信号は、音声データであり、
前記第１報知手段及び前記第２報知手段は、
前記音声データを再生する再生手段である、
請求項１から請求項４のいずれか一項に記載の電子内視鏡システム。
【請求項７】
前記第１画像処理回路及び前記第２画像処理回路の画像処理パラメータのそれぞれは、前記電子内視鏡から出射される照明光の光量を調節するための調光パラメータを含み、
前記第１パラメータ変更手段及び前記第２パラメータ変更手段は、
前記調光パラメータが変更されたとき、前記第１画像処理回路の前記調光パラメータ及び前記第２画像処理回路の前記調光パラメータをそれぞれ変更する、
請求項１から請求項６のいずれか一項に記載の電子内視鏡システム。
【発明の詳細な説明】
【技術分野】
【０００１】
本発明は、電子内視鏡から出力される内視鏡画像をモニタに表示する電子内視鏡システムであって、特に、画像処理された内視鏡画像を複数のモニタに同時に表示する電子内視鏡システムに関する。
【背景技術】
【０００２】
内視鏡の挿入管の先端部に対物光学系及び撮像素子を内蔵した電子内視鏡と、該電子内視鏡から出力される映像信号を処理してモニタに表示可能なビデオ信号を生成する電子内視鏡用プロセッサとを備えた電子内視鏡システムが、体腔内の診断等に広く利用されている。
【０００３】
電子内視鏡システムにおいては、モニタに表示される内視鏡画像を見やすくするために、電子内視鏡用プロセッサによって擬似色素散布処理やエンハンス処理（輪郭強調処理）等の画像処理が行われている（例えば、特許文献１）。また、術者を支援するために電子内視鏡システムを操作するオペレータや手術を見学する見学者も内視鏡画像を見ることができるように、内視鏡画像を複数のモニタに表示可能な電子内視鏡システムも知られている（例えば、特許文献２）。
【先行技術文献】
【特許文献】
【０００４】
【特許文献１】特開２００３−１０１１３号公報
【特許文献１】特開２００７−３０７０１８号公報
【発明の概要】
【発明が解決しようとする課題】
【０００５】
擬似色素散布処理やエンハンス処理等の画像処理を行うと、被写体である胃内壁や大腸内壁の微妙な凹凸を観察し易くなり、また、ぼやけた画像からでも鮮鋭感の高い画像を得ることが可能となる等の点で有効であるが、一方で画像処理の効果が強すぎると却って画像を見難くするため、画像処理の各種パラメータ（例えば、輪郭強調の度合い、ブライトネス、色調）はユーザの好みに応じて調整できるように構成することが望ましい。また、特許文献２に記載の構成は、内視鏡画像を複数のモニタに同時に表示するものであるが、一般に、術者は薄暗い環境下で内視鏡画像を見るのに対し、オペレータや見学者は比較的明るい環境下で内視鏡画像を見ることとなるため、それぞれの環境に応じて画像処理パラメータを調整したいとの要望もある。従って、特許文献２のように、内視鏡画像を複数のモニタに同時に表示する場合においては、各モニタに表示される画像の画像処理パラメータを各ユーザの好みに応じて独立して調整できるように構成することが好ましい。
【０００６】
各モニタに表示される画像の画像処理パラメータを独立して調整する構成としては、各画像に対して画像処理回路を設けること等が考えられるが、画像処理パラメータには、ブライトネス調整や調光処理など照射光の光量に直接影響を与えるパラメータ（すなわち、電子内視鏡システム全体に影響を与えるパラメータ）も含まれ、完全に独立させることは難しい。従って、このような構成の場合、一方のユーザ（例えば、オペレータや見学者）側で画像処理パラメータが変更されたことを、他方のユーザ（例えば、術者）側で認識できるように構成することが望ましいが、手技中に手技に無関係の情報を受け取ることは術者にとっては煩わしく、手技に集中できないといった問題も生じる。
【０００７】
本発明は上記事情に鑑みて成されたものであり、複数のモニタに同時に表示される内視鏡画像のそれぞれについて、ユーザの好みに応じた画像処理パラメータの調整を可能とし、かつ、画像処理パラメータが変更されたときの情報をユーザの求めに応じて発信することが可能な電子内視鏡システムを提供することを目的とする。
【課題を解決するための手段】
【０００８】
上記の目的を達成するため、本発明の電子内視鏡システムは、先端部に固体撮像素子を備え該固体撮像素子から得られる信号を映像信号として出力する電子内視鏡と、映像信号から画像を取得し該画像に所定の画像処理を行って第１ビデオ信号として出力する第１画像処理回路と、映像信号から画像を取得し該画像に所定の画像処理を行って第２ビデオ信号として出力する第２画像処理回路と、第１ビデオ信号に基づいて第１内視鏡画像を表示する第１モニタと、第２ビデオ信号に基づいて第２内視鏡画像を表示する第２モニタと、第１のユーザからの入力を受け付け該入力に基づいて第１画像処理回路の画像処理パラメータを変更する第１パラメータ変更手段と、第２のユーザからの入力を受け付け該入力に基づいて第２画像処理回路の画像処理パラメータを変更する第２パラメータ変更手段と、第１画像処理回路又は第２画像処理回路の画像処理パラメータが変更されたことを検知し、検知信号を生成するパラメータ変更検知手段と、検知信号を受信したときに画像処理パラメータが変更されたことを第１のユーザへ報知する第１報知手段と、検知信号を受信したときに画像処理パラメータが変更されたことを第２のユーザへ報知する第２報知手段と、を備え、パラメータ変更検知手段は、検知信号を第１報知手段及び第２報知手段に送信するか否かを規定する送信先情報を有し、該送信先情報に基づいて第１報知手段及び第２報知手段に検知信号を送信することを特徴とする。
【０００９】
このような構成によれば、第１及び第２モニタに表示される第１及び第２内視鏡画像のそれぞれについて、ユーザの好みに応じた画像処理パラメータの調整が可能となり、また、画像処理パラメータが変更されたことの情報をユーザの求めに応じて報知することが可能となる。
【００１０】
また、パラメータ変更検知手段は、第１のユーザ又は第２のユーザからの入力を受け付け、該入力に基づいて送信先情報を生成するように構成してもよい。
【００１１】
また、パラメータ変更検知手段は、第１のユーザ又は第２のユーザからの入力を受け付け、該入力に基づいて第１のユーザ及び第２のユーザの使用者情報を生成し、該使用者情報に基づいて送信先情報を生成するように構成してもよい。このような構成によれば、使用者情報のみ設定すれば、送信先情報が自動で生成されるため、効率よく送信先情報を生成することができる。
【００１２】
また、送信先情報は、第１画像処理回路の画像処理パラメータが変更されたときと、第２画像処理回路の画像処理パラメータが変更されたときのそれぞれについて、第１報知手段へ検知信号を送信するか否か、及び、第２報知手段へ検知信号を送信するか否かをそれぞれ規定したものであることが好ましい。
【００１３】
また、検知信号は、テキストデータであり、第１報知手段は、第１画像処理回路を制御し、映像信号から取得した画像にテキストデータを重畳し、第２報知手段は、第２画像処理回路を制御し、映像信号から取得した画像にテキストデータを重畳する構成としてもよい。
【００１４】
また、検知信号は、音声データであり、第１報知手段及び第２報知手段は、音声データを再生する再生手段で構成してもよい。
【００１５】
また、第１画像処理回路及び第２画像処理回路の画像処理パラメータのそれぞれは、電子内視鏡から出射される照明光の光量を調節するための調光パラメータを含み、第１パラメータ変更手段及び第２パラメータ変更手段は、調光パラメータが変更されたとき、第１画像処理回路の調光パラメータ及び第２画像処理回路の調光パラメータをそれぞれ変更することが好ましい。
【発明の効果】
【００１６】
以上のように、本発明によれば、同時に表示される複数の内視鏡画像のそれぞれについて、ユーザの好みに応じた画像処理パラメータの調整を可能とし、かつ、画像処理パラメータが変更されたときの情報をユーザの求めに応じて発信することが可能な電子内視鏡システムが提供される。
【図面の簡単な説明】
【００１７】
【図１】図１は、本発明の実施形態に係る電子内視鏡システムのブロック図である。
【図２】図２は、本実施形態のＯＳＤメッセージ表示設定画面の一例を示す図である。
【図３】図３は、本実施形態の電子内視鏡システムで実行される画像処理パラメータ変更処理のフローチャートである。
【図４】図４は、本実施形態の画像処理設定画面の一例を示す図である。
【図５】図５は、本実施形態の変形例の映像使用者設定画面を示す図である。
【発明を実施するための形態】
【００１８】
以下、本発明の実施の形態について図面を用いて詳細に説明する。
【００１９】
図１は、本実施形態の電子内視鏡システムのブロック図である。図１に示すように、本実施形態の電子内視鏡システム１は、電子内視鏡１００と、プロセッサ２００と、モニタ３００とから構成される電子内視鏡装置１０と、ＰＣ（Personal Computer）５００と、キーボード５１０と、モニタ５２０とから構成される外部装置２０とを有する。外部装置２０は、電子内視鏡装置１０と接続されており、映像信号を受信すると共に、電子内視鏡装置１０の各種設定を変更できるように構成されている。なお、本実施形態においては、電子内視鏡装置１０は、主に術者によって操作され、外部装置２０は、術者を支援するオペレータや手術を見学する見学者によって操作されるものである。例えば、オペレータは、術者からの指示に従って外部装置２０を操作し、電子内視鏡装置１０から出力される映像信号を静止画又は動画で記録したり、患者情報や観察記録等の情報の入力を行ったりする。以下、本明細書においては、外部装置２０を操作するオペレータや見学者を「オペレータ等」と称する。
【００２０】
プロセッサ２００は、システムコントローラ２０２、タイミングコントローラ２０４を有している。システムコントローラ２０２は、電子内視鏡システム１を構成する各要素を制御する。タイミングコントローラ２０４は、信号の処理タイミングを調整するクロックパルスを電子内視鏡装置１０内の各種回路に出力する。
【００２１】
ランプ２０８は、ランプ電源イグナイタ２０６による始動後、白色光を出射する。ランプ２０８には、キセノンランプ、ハロゲンランプ、水銀ランプ、メタルハライドランプ等の高輝度ランプが適している。ランプ２０８から出射された照明光は、集光レンズ２１０によって集光されつつ、絞り２１２を介して適正な光量に制限されて、ＬＣＢ（Light Carrying Bundle）１０２の入射端に入射する。
【００２２】
絞り２１２には、図示省略されたアームやギヤ等の伝達機構を介してモータ２１４が機械的に連結している。モータ２１４は例えばＤＣモータであり、ドライバ２１６の制御下で駆動する。絞り２１２は、モニタ３００及びモニタ５２０に表示される映像を適正な明るさにするため、モータ２１４の駆動によって開度が変化するように構成されており、ランプ２０８から出射された照明光の光量を開度に応じて制限する。適正とされる映像の明るさの基準は、電子内視鏡装置１０のユーザ（すなわち、術者）によるフロントパネル２１８の輝度調節操作又は外部装置２０のユーザ（すなわち、オペレータ等）によるキーボード５１０の操作に応じて設定変更される。なお、ドライバ２１６を制御して輝度調整を行う調光回路は周知の回路であり、本明細書においては省略することとする。
【００２３】
ＬＣＢ１０２の入射端に入射した照明光は、ＬＣＢ１０２内を、全反射を繰り返すことによって伝播する。ＬＣＢ１０２内を伝播した照明光は、電子スコープ１００の先端に配されたＬＣＢ１０２の出射端から出射する。ＬＣＢ１０２の出射端から出射した照明光は、配光レンズ１０４を介して被写体を照明する。被写体からの反射光は、対物レンズ１０６を介して固体撮像素子１０８の受光面上の各画素で光学像を結ぶ。
【００２４】
固体撮像素子１０８は、ＩＲ（InfraRed）カットフィルタ１０８ａ、ベイヤ配列カラーフィルタ１０８ｂの各種フィルタが受光面前面に配置された単板式カラーＣＭＯＳ（Complementary Metal Oxide Semiconductor）イメージセンサであり、受光面上の各画素で結像した光学像を光量に応じた電荷として蓄積して、Ｒ、Ｇ、Ｂの各色に応じた撮像信号に変換する。変換された撮像信号は、ドライバ信号処理回路１１２に入力されＡＤ変換、信号増幅等の処理後、信号処理回路２２０に出力される。なお、固体撮像素子１０８は、ＣＭＯＳイメージセンサに限らず、ＣＣＤ（Charge-Coupled Device）イメージセンサであってもよい。
【００２５】
ドライバ信号処理回路１１２は、メモリ１１４にアクセスして電子スコープ１００の固有情報を読み出す。電子スコープ１００の固有情報には、例えば固体撮像素子１０８の画素数や感度、対応可能なレート、型番等が含まれる。ドライバ信号処理回路１１２は、メモリ１１４から読み出した固有情報をシステムコントローラ２０２に出力する。
【００２６】
システムコントローラ２０２は、電子スコープ１００の固有情報に基づいて各種演算を行い、制御信号を生成する。システムコントローラ２０２は、生成された制御信号を用いて、プロセッサ２００に接続中の電子スコープに適した処理がなされるようにプロセッサ２００内の各種回路の動作やタイミングを制御する。また、システムコントローラ２０２には、フロントパネル２１８及びフットスイッチ４００が接続されている。フロントパネル２１８は、例えば、タッチパネルスクリーンであり、システムコントローラ２０２の制御の下、後述するように、電子内視鏡装置１０の各種設定値を変更するためのメニュー表示等を行うと共に、術者による入力操作を受け付ける。フロントパネル２１８に術者からの入力があった場合には、システムコントローラ２０２は入力された内容に応じて各種設定値の変更処理等（例えば、画像処理パラメータ設定の変更処理）を実行する。また同様に、フットスイッチ４００に入力があると、システムコントローラ２０２は、フットスイッチ４００の入力に応じた処理（すなわち、フットスイッチ４００に予め割り当てられた機能（例えば、送気／送水機能、画像処理パラメータ設定の変更機能）を実行するための処理）を行う。なお、本実施形態の電子内視鏡１００には、操作ボタン１２０が備えられており、術者による操作ボタン１２０の操作は、ドライバ信号処理回路１１２を介してシステムコントローラ２０２によって検出されるように構成されている。すなわち、電子内視鏡１００の操作ボタン１２０は、フットスイッチ４００と同様、入力装置として機能するものであり、操作ボタン１２０に入力があると、システムコントローラ２０２は、操作ボタン１２０に予め割り当てられた機能（例えば、画像キャプチャ機能、画像処理パラメータ設定の変更機能）を実行するための処理を行う。
【００２７】
タイミングコントローラ２０４は、システムコントローラ２０２によるタイミング制御に従って、ドライバ信号処理回路１１２にクロックパルスを供給する。ドライバ信号処理回路１１２は、タイミングコントローラ２０４から供給さるクロックパルスに従って、固体撮像素子１０８をプロセッサ２００側で処理される映像のフレームレートに同期したタイミングで駆動制御する。
【００２８】
信号処理回路２２０は、第１画像処理回路２２２、第２画像処理回路２２４及びＯＳＤ（On-Screen Display）回路２２６を備えている。信号処理回路２２０は、ドライバ信号処理回路１１２から出力されるデジタルの画像データを不図示の画像メモリに記憶する。第１画像処理回路２２２及び第２画像処理回路２２４は、それぞれ、画像メモリに記憶された画像データを所定の（すなわち、モニタ３００の水平及び垂直同期周波数に対応した）タイミングで読み出し、読み出した画像データに所定の画像処理（例えば、後述する輪郭強調処理など）を行い、画像処理が行われた後の画像データを、ＯＳＤ回路２２６に出力する。ＯＳＤ回路２２６は、第１画像処理回路２２２及び第２画像処理回路２２４から出力される、画像処理が行われた後の画像データに対して、文字や記号等の情報（以下、「文字情報」という。）を重畳し、所定の形式のビデオ信号（例えば、ＮＴＳＣ形式）に変換した上で、モニタ３００及び外部装置２０のＰＣ５００に出力する。この結果、モニタ３００には、第１画像処理回路２２２によって画像処理された内視鏡画像（以下、「第１映像ＩＭ１」という。）が表示される。
【００２９】
ＰＣ５００は、ビデオキャプチャボード（不図示）を備えており、ＯＳＤ回路２２６から入力される画像データをキャプチャし、モニタ５２０に出力する。この結果、モニタ５２０には、第２画像処理回路２２４によって画像処理された内視鏡画像（以下、「第２映像ＩＭ２」という。）が表示される。また、ＰＣ５００は、電子内視鏡装置１０のシステムコントローラ２０２と、ＬＡＮ（Local Area Network）ケーブルやシリアルケーブル等を介して接続されており、オペレータ等がキーボード５１０を操作することによりシステムコントローラ２０２と通信し、モニタ５２０には、電子内視鏡装置１０の各種設定値を変更するための操作画面が表示される。そして、オペレータ等がキーボード５１０を操作することにより、モニタ５２０に表示される操作画面を操作すると、システムコントローラ２０２は入力された内容に応じて各種設定値の変更処理等を実行する。
【００３０】
このように、本実施形態においては、第１映像ＩＭ１及び第２映像ＩＭ２は、モニタ３００及びモニタ５２０上にそれぞれ別々に表示される。そして、第１映像ＩＭ１及び第２映像ＩＭ２の画像処理の設定値（すなわち、画像処理パラメータ）は、後述する画像処理パラメータ変更処理によって、それぞれ独立して変更することが可能に構成されている。また、本実施形態においては、第１映像ＩＭ１又は第２映像ＩＭ２の画像処理パラメータが変更された場合、システムコントローラ２０２がＯＳＤ回路２２６を制御し、変更された画像処理パラメータの内容が文字情報として、第１映像ＩＭ１及び第２映像ＩＭ２に重畳されるように構成されている。このため、術者及びオペレータ等は、互いに他のユーザによる画像処理パラメータの変更を認識することができる。しかし、画像処理パラメータが変更される度に、その内容が第１映像ＩＭ１及び第２映像ＩＭ２に重畳されると、場合によっては、重畳される文字情報によって観察中の注目部位が隠れてしまい、煩わしく感じることがあるため、本実施形態においては、各画像処理パラメータの変更内容の表示／非表示を、各ユーザに対し（すなわち、第１映像ＩＭ１及び第２映像ＩＭ２のそれぞれに対し）設定できるように構成している。
【００３１】
図２は、本実施形態のＯＳＤメッセージ表示設定画面Ｐ１の一例を示す図である。ＯＳＤメッセージ表示設定画面Ｐ１は、第１映像ＩＭ１又は第２映像ＩＭ２の画像処理パラメータが変更された場合に、その変更内容を示す文字情報の表示対象を設定するためのユーザインターフェースである。ＯＳＤメッセージ表示設定画面Ｐ１は、術者によるフロントパネル２１８、フットスイッチ４００又は操作スイッチ１２０（以下、「フロントパネル２１８等」という。）の操作によってフロントパネル２１８に表示され、操作される。また、オペレータ等によるキーボード５１０の操作によってモニタ５２０に表示され、操作される。図２に示すように、ＯＳＤメッセージ表示設定画面Ｐ１は、設定の終了を入力する終了ボタンＡ１と、第１映像ＩＭ１又は第２映像ＩＭ２の画像処理パラメータが変更されたときに、第１映像ＩＭ１及び第２映像ＩＭ２に対して、その変更内容の表示／非表示（その変更内容を重畳するか否か）を設定するリストボックスＡ２〜Ａ５とを備えている。
【００３２】
リストボックスＡ２は、第１映像ＩＭ１の画像処理パラメータが変更されたときに、第１映像ＩＭ１にその変更内容を示す文字情報を表示するか否かを設定するユーザインターフェースである。ユーザ（術者又はオペレータ等）は、リストボックスＡ２を操作し、「表示」又は「非表示」を設定することができる。リストボックスＡ２を「表示」に設定すると、例えば、後述する画像処理パラメータ変更処理によって、第１映像ＩＭ１の画像処理パラメータに含まれる輪郭強調処理の設定を「Ｈｉｇｈ」から「Ｌｏｗ」に変更したとき、「輪郭強調：Ｌｏｗ（第１映像）」といった文字情報が第１映像ＩＭ１の下側に重畳されて表示される。
【００３３】
リストボックスＡ３は、第２映像ＩＭ２の画像処理パラメータが変更されたときに、第１映像ＩＭ１にその変更内容を示す文字情報を表示するか否かを設定するユーザインターフェースである。ユーザ（術者又はオペレータ等）は、リストボックスＡ３を操作し、「表示」又は「非表示」を設定することができる。リストボックスＡ３を「非表示」に設定すると、例えば、後述する画像処理パラメータ変更処理によって、第２映像ＩＭ２の画像処理パラメータに含まれる輪郭強調処理の設定を「Ｈｉｇｈ」から「Ｌｏｗ」に変更したとしても、その内容は第１映像ＩＭ１に表示されない。
【００３４】
リストボックスＡ４は、第１映像ＩＭ１の画像処理パラメータが変更されたときに、第２映像ＩＭ２にその変更内容を示す文字情報を表示するか否かを設定するユーザインターフェースである。ユーザ（術者又はオペレータ等）は、リストボックスＡ４を操作し、「表示」又は「非表示」を設定することができる。リストボックスＡ４を「表示」に設定すると、例えば、後述する画像処理パラメータ変更処理によって、第１映像ＩＭ１の画像処理パラメータに含まれるガンマ補正処理の設定を「１．０」から「０．７」に変更したとき、「ガンマ補正：０．７（第１映像）」といった文字情報が第２映像ＩＭ２の下側に重畳されて表示される。
【００３５】
リストボックスＡ５は、第２映像ＩＭ２の画像処理パラメータが変更されたときに、第２映像ＩＭ２にその変更内容を示す文字情報を表示するか否かを設定するユーザインターフェースである。ユーザ（術者又はオペレータ等）は、リストボックスＡ５を操作し、「表示」又は「非表示」を設定することができる。リストボックスＡ５を「表示」に設定すると、例えば、後述する画像処理パラメータ変更処理によって、第２映像ＩＭ２の画像処理パラメータに含まれるガンマ補正処理の設定を「１．０」から「０．７」に変更したとき、「ガンマ補正：０．７（第２映像）」といった文字情報が第２映像ＩＭ２の下側に重畳されて表示される。
【００３６】
このように、リストボックスＡ２〜Ａ５を操作し、表示／非表示を設定することにより、ユーザの所望する組み合わせ（表示態様）で、第１映像ＩＭ１及び第２映像ＩＭ２に画像処理パラメータの変更内容を示す文字情報を表示することができるように構成されている。リストボックスＡ２〜Ａ５の設定後、終了ボタンＡ１に対して入力がなされると、リストボックスＡ２〜Ａ５に設定された表示／非表示の情報（送信先情報）は、不図示のメモリ内に記録され、後述する画像処理パラメータ変更処理において用いられる。
【００３７】
次に、本実施形態の電子内視鏡システム１で実行される画像処理パラメータ変更処理について説明する。図３は、本実施形態のシステムコントローラ２０２で実行される画像処理パラメータ変更処理のフローチャートである。本処理は、術者によるフロントパネル２１８等の操作、又は、オペレータ等によるキーボード５１０の操作によって、画像処理の設定を変更する旨の入力があった時（すなわち、画像処理パラメータ変更処理が指示された時）に実行されるサブルーチンである。
【００３８】
本ルーチンが開始されると、ステップＳ１１が実行される。ステップＳ１１では、システムコントローラ２０２は、フロントパネル２１８又はモニタ５２０に画像処理設定画面Ｐ２を表示する。すなわち、術者によるフロントパネル２１８等の操作によって本ルーチンが開始された場合には、術者が見ている第１映像ＩＭ１に対する画像処理パラメータの変更要求であると認識し、フロントパネル２１８に画像処理設定画面Ｐ２を表示し、オペレータ等によるキーボード５１０の操作によって本ルーチンが開始された場合には、オペレータ等が見ている第２映像ＩＭ２に対する画像処理パラメータの変更要求であると認識し、ＰＣ５００を介してモニタ５２０に画像処理設定画面Ｐ２を表示する。図４は、本実施形態の画像処理設定画面Ｐ２の一例を示す図である。画像処理設定画面Ｐ２は、設定変更する画像処理の項目を選択し、その項目の設定値（画像処理パラメータ）を変更するためのユーザインターフェースである。図４に示すように、画像処理設定画面Ｐ２は、輪郭強調の度合いを設定するボタンＢ１、ノイズリダクションの度合いを設定するボタンＢ２、内視鏡画像の赤味を設定するボタンＢ３、内視鏡画像の青味を設定するボタンＢ４、擬似色素散布画像を生成するか否かを選択するボタンＢ５、特定の空間周波数のみ強調する処理を行うか否かを選択するボタンＢ６、ガンマ補正の度合いを設定するボタンＢ７、内視鏡画像のブライトネス（明るさ）を設定するボタンＢ８、調光アルゴリズム（例えば、画像の最大輝度値を用いた調光や画像の平均輝度値を用いた調光等）を選択するボタンＢ９、ボタンＢ１〜Ｂ９に割り当てられた各項目の設定値を変更するボタンＢ１１及びＢ１２、画像処理設定の終了を入力する終了ボタンＢ１３等から構成される。ユーザ（術者又はオペレータ等）は、ボタンＢ１〜Ｂ９を操作し、設定変更する画像処理の項目を選択する。そして、選択した項目についてボタンＢ１１及びＢ１２を操作してその設定値を変更する。例えば、輪郭強調の度合いを変更する場合には、ボタンＢ１を操作した後、ボタンＢ１１又はＢ１２を操作することにより、輪郭強調の度合いを下げたり、上げたりすることができ、図４の場合、輪郭強調の度合いは、「＋３」に設定される。なお、本実施形態においては、ボタンＢ８及びＢ９によって、内視鏡画像のブライトネス及び調光アルゴリズムの設定を変更することができるように構成されているが、これらの設定を変更するとＬＣＢ１０２の出射端から出射される照明光の光量が変更され、第１画像処理回路２２２と第２画像処理回路２２４の両方に入力される、固体撮像素子１０８の撮像信号に直接影響を与えることとなる。すなわち、これらの項目は、第１映像ＩＭ１及び第２映像ＩＭ２のそれぞれについて、独立して調整できるものではない。そこで、本実施形態では、このように第１映像ＩＭ１及び第２映像ＩＭ２の両方（すなわち、電子内視鏡システム１全体）に影響してしまうような画像処理の項目を「一括適用対象項目」と称し、他の画像処理の項目とは分けて管理、処理している（後述）。フロントパネル２１８又はモニタ５２０に画像処理設定画面Ｐ２を表示し、ユーザからの入力が受け付け可能となると、処理は、ステップＳ１２に進む。
【００３９】
ステップＳ１２では、システムコントローラ２０２は、画像処理の設定が終了したか否か（すなわち、終了ボタンＢ１３の押下（入力）を検出したか否か）を判断する。ユーザによる終了ボタンＢ１３の押下を検出すると（ステップＳ１２：ＹＥＳ）、本ルーチンは終了し、ユーザによる終了ボタンＢ１３の押下が検出されないと（ステップＳ１２：ＮＯ）、処理はステップＳ１３に進む。
【００４０】
ステップＳ１３では、システムコントローラ２０２は、ステップＳ１１において画像処理の設定が変更されたか否かを判断する。ユーザがフロントパネル２１８等又はキーボード５１０を操作し、画像処理設定画面Ｐ２内のいずれかの画像処理の設定を変更するまで、処理はステップＳ１１〜Ｓ１３を繰り返し（ステップＳ１３：ＮＯ）、画像処理の設定が変更されると（ステップＳ１３：ＹＥＳ）、処理はステップＳ１４に進む。
【００４１】
ステップＳ１４では、システムコントローラ２０２は、ステップＳ１１において変更された画像処理の項目が、一括適用対象項目であるか否かを判断する。ステップＳ１１において変更された画像処理の項目が、一括適用対象項目であると判断された場合には（ステップＳ１４：ＹＥＳ）、処理はステップＳ１５に進み、一括適用対象項目でないと判断された場合には（ステップＳ１４：ＮＯ）、処理はステップＳ１７に進む。
【００４２】
ステップＳ１５では、システムコントローラ２０２は、ステップＳ１１において変更された画像処理パラメータを第１画像処理回路２２２及び第２画像処理回路２２４に設定する。上述したように、ステップＳ１１において変更された画像処理の項目が一括適用対象項目である場合には、第１映像ＩＭ１及び第２映像ＩＭ２のそれぞれについて独立して調整できるものではないと判断して、第１画像処理回路２２２及び第２画像処理回路２２４に同一の設定値が設定されるように構成されている。ステップＳ１５の処理が実行されることにより、第１映像ＩＭ１及び第２映像ＩＭ２の明るさが変わることとなる。次いで、処理はステップＳ１６に進む。
【００４３】
ステップＳ１６では、システムコントローラ２０２は、信号処理回路２２０を制御し、ＯＳＤメッセージ表示設定画面Ｐ１によって設定された表示／非表示の情報（送信先情報）に基づいて、一定時間（例えば、３０秒）だけ文字情報を重畳させて表示する。本処理においては、ステップＳ１５において、第１画像処理回路２２２及び第２画像処理回路２２４の設定値を変更したことから（すなわち、ステップＳ１４において、ステップＳ１１で変更された画像処理の項目が、一括適用対象項目であると判断されているため）、第１映像ＩＭ１及び第２映像ＩＭ２の画像処理パラメータの変更であると判断し、ＯＳＤメッセージ表示設定画面Ｐ１のリストボックスＡ２及びＡ５の設定に従って文字情報が重畳されて表示される。上述したように、文字情報は、画像処理パラメータが変更されたことを各ユーザに認識させるための手段である。例えば、図２に示すように、ＯＳＤメッセージ表示設定画面Ｐ１のリストボックスＡ２及びＡ５が共に「表示」の設定の場合、第１映像ＩＭ１及び第２映像ＩＭ２の下側に、変更された画像処理パラメータの内容が表示される。ステップＳ１６の処理が終了すると、処理は、ステップＳ１１に戻る。
【００４４】
ステップＳ１７では、システムコントローラ２０２は、ステップＳ１１において変更された画像処理パラメータが第１映像ＩＭ１に対して行われたものか（すなわち、第１映像ＩＭ１の画像処理パラメータを変更する操作であったか否か）を判断する。具体的には、術者によるフロントパネル２１８等の操作によって本ルーチンが開始された場合には、術者が見ている第１映像ＩＭ１に対する画像処理パラメータの変更であると認識し（ステップＳ１７：ＹＥＳ）、処理はステップＳ１８に進み、オペレータ等によるキーボード５１０の操作によって本ルーチンが開始された場合には、オペレータ等が見ている第２映像ＩＭ２に対する画像処理パラメータの変更であると認識し（ステップＳ１７：ＮＯ）、処理はステップＳ２０に進む。
【００４５】
ステップＳ１８では、システムコントローラ２０２は、ステップＳ１１において変更された画像処理パラメータを第１画像処理回路２２２に設定する。これによって、例えば、第１映像ＩＭ１の輪郭強調の度合いが変わることとなる。次いで、処理はステップＳ１９に進む。
【００４６】
ステップＳ１９では、システムコントローラ２０２は、信号処理回路２２０を制御し、ＯＳＤメッセージ表示設定画面Ｐ１によって設定された表示／非表示の情報（送信先情報）に基づいて、一定時間（例えば、３０秒）だけ文字情報を重畳させて表示する。本処理においては、ステップＳ１７において、第１映像ＩＭ１に対する画像処理パラメータの変更であると認識されていることから、ＯＳＤメッセージ表示設定画面Ｐ１のリストボックスＡ２及びＡ４の設定に従って文字情報が重畳されて表示される。例えば、図２に示すように、ＯＳＤメッセージ表示設定画面Ｐ１のリストボックスＡ２及びＡ４が共に「表示」の設定の場合、第１映像ＩＭ１及び第２映像ＩＭ２の下側に、変更された画像処理パラメータの内容が表示される。ステップＳ１９の処理が終了すると、処理は、ステップＳ２０に進む。
【００４７】
ステップＳ２０では、システムコントローラ２０２は、ステップＳ１１において変更された画像処理パラメータが第２映像ＩＭ２に対して行われたものか（すなわち、第２映像ＩＭ２の画像処理パラメータを変更する操作であったか否か）を判断する。具体的には、術者によるフロントパネル２１８等の操作によって本ルーチンが開始された場合には、術者が見ている第１映像ＩＭ１に対する画像処理パラメータの変更であると認識し（ステップＳ２０：ＮＯ）、処理はステップＳ１１に戻り、オペレータ等によるキーボード５１０の操作によって本ルーチンが開始された場合には、オペレータ等が見ている第２映像ＩＭ２に対する画像処理パラメータの変更であると認識し（ステップＳ２０：ＹＥＳ）、処理はステップＳ２１に進む。
【００４８】
ステップＳ２１では、システムコントローラ２０２は、ステップＳ１１において変更された画像処理パラメータを第２画像処理回路２２４に設定する。これによって、例えば、第２映像ＩＭ２の輪郭強調の度合いが変わることとなる。次いで、処理はステップＳ２２に進む。
【００４９】
ステップＳ２２では、システムコントローラ２０２は、信号処理回路２２０を制御し、ＯＳＤメッセージ表示設定画面Ｐ１によって設定された表示／非表示の情報（送信先情報）に基づいて、一定時間（例えば、３０秒）だけ文字情報を重畳させて表示する。本処理においては、ステップＳ２０において、第２映像ＩＭ２に対する画像処理パラメータの変更であると認識されていることから、ＯＳＤメッセージ表示設定画面Ｐ１のリストボックスＡ３及びＡ５の設定に従って文字情報が重畳されて表示される。例えば、図２に示すように、ＯＳＤメッセージ表示設定画面Ｐ１のリストボックスＡ３が「非表示」、Ａ５が「表示」の設定の場合、第１映像ＩＭ１には変更された画像処理パラメータの内容が表示されず、第２映像ＩＭ２にのみ変更された画像処理パラメータの内容が表示される。ステップＳ２２の処理が終了すると、処理は、ステップＳ１１に戻る。
【００５０】
上述したように、本実施形態の画像処理パラメータ変更処理は、ステップＳ１２において、画像処理設定画面Ｐ２の終了ボタンＢ１３の押下を検出するまで繰り返され、ステップＳ１２において、ユーザによる終了ボタンＢ１３の押下を検出すると画像処理パラメータ変更処理は終了する。
【００５１】
以上説明したように、本実施形態の画像処理パラメータ変更処理においては、画像処理パラメータが変更された場合に、それが第１映像ＩＭ１に対して行われたものか、又は、第２映像ＩＭ２に対して行われたものかを判断し、その判断結果に応じて第１画像処理回路２２２及び第２画像処理回路２２４の少なくともいずれか一方の画像処理パラメータを変更している。そして、第１映像ＩＭ１又は第２映像ＩＭ２の画像処理パラメータ（すなわち、第１画像処理回路２２２又は第２画像処理回路２２４の画像処理パラメータ）が変更された場合、ＯＳＤメッセージ表示設定画面Ｐ１によって設定された表示／非表示の情報（送信先情報）に基づいて、第１映像ＩＭ１及び第２映像ＩＭ２に文字情報を表示するように構成している。従って、同時に表示される第１映像ＩＭ１及び第２映像ＩＭ２の画像処理パラメータを、各ユーザの好みに応じて調整できると共に、いずれかの画像処理パラメータが変更された場合に、その変更内容を示す文字情報をユーザの好みに応じて表示又は非表示とすることができる。
【００５２】
以上が本発明の実施形態の説明であるが、本発明は、上記の実施形態に限定されるものではなく、技術的思想の範囲内において様々な変形が可能である。例えば、本実施形態の画像処理パラメータ変更処理においては、第１映像ＩＭ１又は第２映像ＩＭ２の画像処理パラメータが変更された場合に、ＯＳＤメッセージ表示設定画面Ｐ１によって設定された表示／非表示の情報（送信先情報）に基づいて、第１映像ＩＭ１及び第２映像ＩＭ２に文字情報を表示するように構成したが、術者又はオペレータ等に報知できるものであれば文字情報に限定されるものではない。例えば、文字情報に代えて、ビープ音、音声情報を適用することも可能である。
【００５３】
また、本実施形態の電子内視鏡システム１は、外部装置２０を備える構成として説明したが、この構成に限定されるものではなく、例えば、外部装置２０に代えて、オペレータ専用のモニタ及びキーボードを電子内視鏡システム１０に直接接続する構成としてもよい。
【００５４】
また、本実施形態のＯＳＤメッセージ表示設定画面Ｐ１は、リストボックスＡ２〜Ａ５によって、第１映像ＩＭ１の画像処理パラメータが変更された場合、及び、第２映像ＩＭ２の画像処理パラメータが変更された場合のそれぞれについて、第１映像ＩＭ１及び第２映像ＩＭ２に対して、その変更内容の表示／非表示を設定する構成としたが、例えば、第１映像ＩＭ１及び第２映像ＩＭ２の使用者に関する情報（使用者情報）を設定することにより、画像処理パラメータの変更内容の表示／非表示（すなわち、リストボックスＡ２〜Ａ５の設定）を自動設定するように構成することも可能である。
【００５５】
図５は、本実施形態の変形例に係る映像使用者設定画面Ｐ１０を示す図である。映像使用者設定画面Ｐ１０は、本実施形態のＯＳＤメッセージ表示設定画面Ｐ１と同様、術者又はオペレータ等によって操作されるユーザインターフェースであり、第１映像ＩＭ１の使用者を設定するリストボックスＡ１２、第２映像ＩＭ２の使用者を設定するリストボックスＡ１５、及び設定の終了を入力する終了ボタンＡ１０を備えている。そして、リストボックスＡ１２及びＡ１５を設定することにより、ＯＳＤメッセージ表示設定画面Ｐ１のリストボックスＡ２〜Ａ５の設定が自動設定されるように構成されている。具体的には、例えば図５に示すように、第１映像ＩＭ１の使用者（すなわち、リストボックスＡ１２）を「担当医」に設定し、第２映像ＩＭ２の使用者（すなわち、リストボックスＡ１５）を「見学者」に設定した場合、「見学者」側の画像処理パラメータの変更が「担当医」にとって煩わしくならないように、ＯＳＤメッセージ表示設定画面Ｐ１のリストボックスＡ２、Ａ４、Ａ５が「表示」に自動設定され、リストボックスＡ３が「非表示」に自動設定される。このように、本変形例によれば、ＯＳＤメッセージ表示設定画面Ｐ１のリストボックスＡ２〜Ａ５の設定が自動設定されるため、ユーザは、第１映像ＩＭ１及び第２映像ＩＭ２の使用者情報のみ設定すればよくなる。
【符号の説明】
【００５６】
１    電子内視鏡システム
１０    電子内視鏡装置
２０    外部装置
１００    電子内視鏡
１０２    ＬＣＢ
１０４    配光レンズ
１０６    対物レンズ
１０８    固体撮像素子
１１２    ドライバ信号処理回路
１１４    メモリ
１２０    操作ボタン
２００    電子内視鏡用プロセッサ
２０２    システムコントローラ
２０４    タイミングコントローラ
２０６    ランプ電源イグナイタ
２０８    ランプ
２１０    集光レンズ
２１２    絞り
２１４    モータ
２１６    ドライバ
２１８    フロントパネル
２２０    信号処理回路
２２２    第１画像処理回路
２２４    第２画像処理回路
２２６    ＯＳＤ回路
３００    モニタ
４００    フットスイッチ
５００    ＰＣ
５１０    キーボード
５２０    モニタ
【図１】
0006045794.tif 000002
【図２】
0006045794.tif 000003
【図３】
0006045794.tif 000004
【図４】
0006045794.tif 000005
【図５】
0006045794.tif 000006